(57)【要約】【課題】引手部に形成される巾の狭い凹溝において確実にラッピングすることができ、意匠性を向上させることができる。【解決手段】一方向にスライド可能に設けられたパネル材２と、パネル材２におけるスライド方向（左右方向Ｘ１）の両端部に固定された縦框３と、を備え、縦框３における前後方向Ｘ２を向く両側面３ａ、３ａには、それぞれ上下方向Ｘ３に延在する手掛け用の凹溝３１が形成され、縦框３は、パネル材２の両端部に固定される第１框部３Ａと、第１框部３Ａに固定される第２框部３Ｂと、が凹溝３１を分離するように左右方向Ｘ１に分割された構成の建具を提案する。【選択図】図２
2020056156.tif 000002
【特許請求の範囲】
【請求項１】
一方向にスライド可能に設けられたパネル材と、該パネル材におけるスライド方向の両端部のうち少なくとも一方の端部に固定された框と、を備えた建具であって、
前記框における前記パネル材の前後方向を向く両側面には、それぞれ前記前後方向から見て前記スライド方向に直交する方向に延在する手掛け用の凹溝が形成され、
前記框は、前記パネル材の両端部に固定される第１框部と、該第１框部に固定される第２框部と、が前記凹溝を分離するように前記スライド方向に分割されていることを特徴とする建具。
【請求項２】
前記第１框部と前記第２框部とは、前記第２框部側から挿通される固定ねじによって固定され、
前記固定ねじは、前記第１框部と前記第２框部を貫通して前記パネル材の前記スライド方向の外端面に螺合されている請求項１に記載の建具。
【請求項３】
前記第２框部には、前記スライド方向で前記第１框部とは反対側の外面に前記固定ねじを挿通可能な開口部が形成され、該開口部を閉塞するカバー材が設けられている請求項２に記載の建具。
【請求項４】
前記第１框部と前記第２框部との分割面には、前記第１框部と前記第２框部における前記前後方向の相対移動を規制する係合部が形成されている請求項１乃至３のいずれか１項に記載の建具。
【発明の詳細な説明】
【技術分野】
【０００１】
本発明は、建具に関する。
【背景技術】
【０００２】
従来、引戸では、例えば特許文献１に示されるような押出し形材により形成される縦框の側面に引手部の凹部が形成されたものが知られている。このような押出し形材からなる縦框では、基材表面にシートが被覆され、意匠性をもたせている。
【先行技術文献】
【特許文献】
【０００３】
【特許文献１】特許第４８０１５７７号公報
【発明の概要】
【発明が解決しようとする課題】
【０００４】
特許文献１に示すような従来の引戸では、引手部が形成された縦框に形成される凹部は指が挿入できる程度の巾寸法に設定されている。また、縦框の基材にシートをラッピングする製造方法としては、基材に対してラッピングシートを貼り付けローラーで押さえつつ貼り付ける方法がある。
しかし、特許文献１に示すような引手部として形成される凹部の場合には、貼り付けローラーを凹部の内側に進入させることが難しく、凹部の内面にシートラッピングできないという課題があった。そのため、凹部のみがシートラッピングされない状態となり、建具としての意匠性が低下するため、その点で改善の余地があった。
【０００５】
本発明は、上述する問題点に鑑みてなされたもので、引手部に形成される巾の狭い凹溝において確実にシートラッピングすることができ、意匠性を向上させることができる建具を提供することを目的とする。
【課題を解決するための手段】
【０００６】
上記目的を達成するため、本発明に係る建具は、一方向にスライド可能に設けられたパネル材と、該パネル材におけるスライド方向の両端部のうち少なくとも一方の端部に固定された框と、を備えた建具であって、前記框における前記パネル材の前後方向を向く両側面には、それぞれ前記前後方向から見て前記スライド方向に直交する方向に延在する手掛け用の凹溝が形成され、前記框は、前記パネル材の両端部に固定される第１框部と、該第１框部に固定される第２框部と、が前記凹溝を分離するように前記スライド方向に分割されていることを特徴としている。
【０００７】
本発明によれば、框に形成される手掛け用の凹溝がスライド方向に分割された第１框部と第２框部によって分離されているので、分割された第１框部と第２框部のそれぞれには凹溝の一部を含んだ状態で設けられることになる。つまり、第１框部と第２框部の表面にシートを被覆する製造の際に、溝形状が形成されていない状態の第１框部と第２框部の表面における必要領域全体に対して貼り付けローラーを使用してシートを被覆することができる。そして、シートが被覆された第１框部と第２框部をパネル材の両端部のうち少なくとも一方の端部に固定することで、手掛け用の凹溝が形成された建具を構成することができる。
このように本発明では、框の引手部に形成される巾の狭い凹溝において確実にシートラッピングすることができ、意匠性を向上させることができる。
【０００８】
また、本発明に係る建具は、前記第１框部と前記第２框部とは、前記第２框部側から挿通される固定ねじによって固定され、前記固定ねじは、前記第１框部と前記第２框部を貫通して前記パネル材の前記スライド方向の外端面に螺合されていることが好ましい。
【０００９】
この場合には、第１框部と第２框部とが固定ねじによってパネル材に強固に固定することができる。このとき、固定ねじが第１框部と第２框部を貫通して設けられるので、框の表面に固定ねじが露出することを防止できる。
しかも、本発明では、パネル材の外端部に第１框部を介して第２框部を仮に配置させてから、第２框部側から固定ねじを挿通させることで、これらを同時に固定できる簡単な構造となるので、組み立て作業の効率化を図ることができる。
【００１０】
また、本発明に係る建具は、前記第２框部には、前記スライド方向で前記第１框部とは反対側の外面に前記固定ねじを挿通可能な開口部が形成され、該開口部を閉塞するカバー材が設けられていることを特徴としてもよい。
【００１１】
この場合には、開口部から挿通した固定ねじで第１框部と第２框部とをパネル材に固定した状態で、その開口部がカバー材で閉塞されているので、固定ねじが框の表面に露出されることがなく、意匠性の向上を図ることができる。またカバー材にもシートを被覆することができるので、カバー材を有する第２框部であってもシートによって一体感をもたせるように被覆することができる。
【００１２】
また、本発明に係る建具は、前記第１框部と前記第２框部との分割面には、前記第１框部と前記第２框部における前記前後方向の相対移動を規制する係合部が形成されていることを特徴としてもよい。
【００１３】
この場合には、第１框部と第２框部とが係合部によって前後方向の相対移動が規制された状態で係合されるので、組立後の框において分割面のずれを抑制することができる。そのため、框表面の仕上がり状態を良好とすることができ、意匠性を高めることができる。
【発明の効果】
【００１４】
本発明の建具によれば、引手部に形成される巾の狭い凹溝において確実にシートラッピングすることができ、意匠性を向上させることができる。
【図面の簡単な説明】
【００１５】
【図１】本発明の第１実施形態による引き戸の構成を示す斜視図である。
【図２】引き戸の一方の縦框をパネル材に取り付けた要部を示す水平断面図である。
【図３】図２に示す縦框の分解図である。
【図４】第２実施形態による引き戸の一方の縦框をパネル材に取り付けた要部を示す水平断面図であって、図２に対応する図である。
【図５】第１変形例による引き戸の一方の縦框をパネル材に取り付けた要部を示す水平断面図であって、図２に対応する図である。
【図６】第２変形例による引き戸の一方の縦框をパネル材に取り付けた要部を示す水平断面図であって、図２に対応する図である。
【図７】第３実施形態による引き戸の構成を示す前後方向から見た正面図である。
【図８】（ａ）は図７に示すＡ−Ａ線断面図であって、引き戸の一方の縦框をパネル材に取り付けた要部を示す水平断面図、（ｂ）は図８（ａ）に示す縦框の分解図である。
【図９】（ａ）は図７に示すＢ−Ｂ線断面図であって、引き戸の一方の縦框をパネル材に取り付けた要部を示す水平断面図、（ｂ）は図９（ａ）に示す縦框の分解図である。
【発明を実施するための形態】
【００１６】
以下、本発明の一実施形態による建具の一例について、図面に基づいて説明する。
【００１７】
（第１実施形態）
図１に示す本第１実施形態の建具は、建築物の開口に設けられる引き戸１を一例として図面に基づいて説明する。
本実施形態の引き戸１（建具）は、建物又は部屋の出入口の上下に配された溝やレール等の案内部１１に案内されてスライドして、この出入口を開閉する建具である。
【００１８】
ここで、以下の説明では、引き戸１において、案内部１１の延在方向に沿うスライド方向を左右方向Ｘ１とし、上方から見た際に左右方向Ｘ１に直交する方向を前後方向Ｘ２とし、前後方向Ｘ２から見て左右方向Ｘ１に直交する方向を上下方向Ｘ３とする。
また、引き戸１を構成する各部材や部品などは、前記開口部に設けられている姿勢であるものとして、その姿勢における左右方向Ｘ１、前後方向Ｘ２、および上下方向Ｘ３を用いて説明する。
【００１９】
引き戸１は、案内部１１にスライド可能に支持された四角形状に形成されたパネル材２と、パネル材２の左右両端部に固定された一対の縦框３、３（框）と、を備えている。
【００２０】
パネル材２は、木製、樹脂製等の板状部材である。パネル材２の左右両端部は、後述する縦框３を固定するための固定ねじ３２が螺合可能になっている。パネル材２の下面には、前記案内部に沿って左右方向Ｘ１に走行可能な戸車（図示省略）が設けられていてもよい。
なお、パネル材２としては、全体が木製等の同一部材であることに限定されず、部分的に樹脂やガラス等の部材が組み込まれたものであったり、あるいは全体が板状であることに限らず、部分的に別部材を組み合わせた構造のものであってもよい。
【００２１】
縦框３は、図２及び図３に示すように、例えばアルミニウムや樹脂等の部材から形成され、パネル材２の前後方向Ｘ２を向く両側面３ａ、３ａにおいて、それぞれ上下方向Ｘ３に延在する凹溝３１が形成されている。
縦框３における外に露出する表面は、化粧シートや化粧紙等のシート３３（３３Ａ、３３Ｂ、３３Ｃ）が貼着された状態で被覆されている。
【００２２】
凹溝３１には、上下方向Ｘ３から見た断面視で略コ字状に形成され、左右方向Ｘ１に対向する内壁面のそれぞれにおいて、さらに内側に凹むように湾曲する手掛け部３１ａ、３１ｂが形成されている。これら手掛け部３１ａ、３１ｂは、引き戸１を開閉する際の人の指を掛かり易くするために設けられている。凹溝３１の左右方向Ｘ１の開口幅寸法Ｄとしては、例えば８０ｍｍ以下に設定されている。この凹溝３１にもシート３３Ｂが被覆されている。
【００２３】
ここで、一対の縦框３はパネル材２に対して、それぞれ左右対称で同様の構成で設けられているため、以下の説明では主に図２における紙面右側（図３で紙面上側）に記載される縦框３について説明する。
【００２４】
縦框３は、パネル材２の両端部に固定される第１框部３Ａと、第１框部３Ａに固定される第２框部３Ｂと、に左右に二分割されて構成されている。第１框部３Ａと第２框部３Ｂとの分割位置Ｐ１は、凹溝３１が左右方向Ｘ１に分離される位置である。本実施形態では、凹溝３１のパネル材２側に位置する第１手掛け部３１ａを分割面とし、第１框部３Ａに第１手掛け部３１ａ、第２框部３Ｂに第２手掛け部３１ｂと底面３１ｃとを含むように分割されている。
第１框部３Ａと第２框部３Ｂとは、第２框部３Ｂ側から挿通される固定ねじ３２によって固定されている。
【００２５】
第１框部３Ａは、パネル材２の外端面２ａに当接した状態で支持される支持壁３４と、支持壁３４の前後方向Ｘ２の両端から他方の縦框３側（図１で紙面左側の縦框３側）に向けて突出する保持片３５と、を有している。
支持壁３４のパネル材２側を向く内面３４ａには、上下方向Ｘ３に延在する一対の凸条３４１が形成されている。支持壁３４の内面３４ａとは反対側の外面３４ｂ（分割面）には、第２框部３Ｂの係合凹部３６４（後述する）に係合される係合凸部３４２（係合部）が上下方向Ｘ３に延びて形成されている。係合凸部３４２の位置には、上下方向Ｘ３に所定の間隔（例えば、５００ｍｍ〜６００ｍｍの間隔）をあけた位置で厚さ方向に貫通する第１ねじ孔３４３が複数設けられている。
【００２６】
第１框部３Ａは、支持壁３４と前後一対で設けられる保持片３５、３５とによって形成される凹状部３ｂをパネル材２の端部に嵌合させることで、支持壁３４の凸条３４１がパネル材２の外端面２ａに当接した状態で配置される。
支持壁３４の外面３４ｂには、凹溝３１における一方の第１手掛け部３１ａを形成する内壁面のみが位置している。
【００２７】
第１框部３Ａに被覆されるシート３３Ａは、支持壁３４の外面３４ｂで係合凸部３４２を除いた部分から、保持片３５のほぼ全周にわたる範囲に貼着されている。つまり、支持壁３４の内面３４ａは、パネル材２の外端面２ａに近接した状態となって外側から見て露出しない領域となるため、シート３３が被覆されていない。
【００２８】
第２框部３Ｂは、第１框部３Ａの支持壁３４の外面３４ｂに当接した状態で固定される固定板３６１（分割面）を有する框本体３６と、框本体３６における第１框部３Ａとは反対側の外面３６ｂに形成された開口部３６７を閉塞するカバー材３７と、を備えている。
【００２９】
框本体３６は、第１框部３Ａの支持壁３４に対向し上下方向Ｘ３に延在される上述した固定板３６１と、固定板３６１の前後両端から左右方向Ｘ１で第１框部３Ａから離反する方向へ延びる一対の側壁部３６２、３６２と、各側壁部３６２の左右方向Ｘ１の外側の外端縁３６２ａから互いに近接する方向に向けて突出する外壁３６３と、を有している。
【００３０】
固定板３６１には、第１框部３Ａの係合凸部３４２に係合される係合凹部３６４（係合部）が上下方向Ｘ３に延びて形成されている。固定板３６１の係合凹部３６４の位置には、第２框部３Ｂを第１框部３Ａに対して所定の位置に固定した状態で、第１框部３Ａの第１ねじ孔３４３に連通する位置に第２ねじ孔３６５が複数設けられている。第２框部３Ｂは、係合凹部３６４を係合凸部３４２に係合させることで、前後方向Ｘ２の移動を規制することが可能となっている。
【００３１】
側壁部３６２には、凹溝３１における底面３１ｃと他方の第２手掛け部３１ｂを有する内壁面のみが形成されている。第２框部３Ｂには、前後方向Ｘ２に対向する一対の側壁部３６２、３６２を連結する補強リブ３６６が固定板３６１から左右方向Ｘ１に間隔をあけた位置に配置されている。
開口部３６７は、固定ねじ３２が挿通可能な大きさに形成されている。固定ねじ３２は、開口部３６７から第２框部３Ｂ内に挿入され、第２ねじ孔３６５を挿通するとともに第１框部３Ａの第１ねじ孔３４３に挿通されてパネル材２に螺合されている。これにより、第２框部３Ｂが第１框部３Ａに固定されるとともに、第１框部３Ａがパネル材２に強固に固定される。
【００３２】
第２框部３Ｂに被覆されるシート３３は、固定板３６１の係合凹部３６４を除いた部分から、側壁部３６２の外周面のほぼ全域にわたる範囲に貼着されている。
【００３３】
カバー材３７は、框本体３６の開口部３６７に係止する一対の係止片３７１がカバー材３７の裏面３７ｂから突出している。カバー材３７に被覆されるシート３３は、表面３７ａ全体に貼着されている。
【００３４】
次に、本実施形態による引き戸１（建具）の作用について、図面に基づいて詳細に説明する。
本実施形態では、図２及び図３に示すように、縦框３に形成される手掛け用の凹溝３１が左右方向Ｘ１に分割された第１框部３Ａと第２框部３Ｂによって分離されているので、分割された第１框部３Ａと第２框部３Ｂのそれぞれには凹溝３１の一部を含んだ状態で設けられることになる。つまり、第１框部３Ａと第２框部３Ｂの表面にシート３３を被覆する製造する際に、溝形状が形成されていない状態の第１框部３Ａと第２框部３Ｂの表面における必要領域全体に対して貼り付けローラーを使用してシート３３を被覆することができる。そして、シート３３が被覆された第１框部３Ａと第２框部３Ｂをパネル材２の両端に固定することで、手掛け用の凹溝３１が形成された引き戸１を構成することができる。
このように本実施形態では、縦框３の引手部に形成される巾の狭い凹溝３１において確実にシートラッピングすることができ、意匠性を向上させることができる。
【００３５】
また、本実施形態では、第１框部３Ａと第２框部３Ｂとが固定ねじ３２によってパネル材２に強固に固定することができる。このとき、固定ねじ３２が第１框部３Ａと第２框部３Ｂを貫通して設けられるので、縦框３の表面に固定ねじ３２が露出することを防止できる。
しかも、本実施形態では、パネル材２の外端部２ａに第１框部３Ａを介して第２框部３Ｂを仮に配置させてから、第２框部３Ｂ側から固定ねじ３２を挿通させることで、これらを同時に固定できる簡単な構造となるので、組み立て作業の効率化を図ることができる。
【００３６】
さらに、本実施形態では、第２框部３Ｂに形成される開口部３６７から挿通した固定ねじ３２で第１框部３Ａと第２框部３Ｂとをパネル材２に固定した状態で、その開口部３６７がカバー材３７で閉塞されているので、固定ねじ３２が縦框３の表面に露出されることがなく、意匠性の向上を図ることができる。またカバー材３７にもシート３３Ｃを被覆することができるので、カバー材３７を有する第２框部３Ｂであってもシート３３によって一体感をもたせるように被覆することができる。
【００３７】
また、本実施形態では、第１框部３Ａの係合凸部３４２と第２框部３Ｂの係合凹部３６４との凹凸係合によって前後方向Ｘ２の相対移動が規制された状態で係合されるので、組立後の縦框３において分割面のずれを抑制することができる。そのため、框表面の仕上がり状態を良好とすることができ、意匠性を高めることができる。
【００３８】
このように本第１実施形態の引き戸１によれば、引手部に形成される巾の狭い凹溝において確実にシートラッピングすることができ、意匠性を向上させることができる。
【００３９】
次に、上述した第１実施形態の他の実施形態及び変形例による建具について説明する。なお、上述した第１実施形態の構成要素と同一機能を有する構成要素には同一符号を付し、これらについては、説明が重複するので詳しい説明は省略する。
【００４０】
（第２実施形態）
図４に示す第２実施形態による引き戸１Ａ（建具）は、上述した第１実施形態の縦框３における左右方向Ｘ１の分割位置を異なる位置とした縦框４Ａの一例である。
第２実施形態による縦框４Ａは、凹溝３１の第２手掛け部３１ｂを分割位置Ｐ２として、凹溝３１を左右方向Ｘ１に分離するように第１框部３Ａと第２框部３Ｂとが分割されている。
第１框部３Ａは、支持壁３４の外面３４ｂから左右方向Ｘ１の外側に向けて立設され、凹溝３１の底面３１ｃを含んだ一対の側板４１、４１を備えている。
【００４１】
支持壁３４の前後方向Ｘ２の両端には、第１実施形態と同様に左右方向Ｘ１でパネル材２側に向けて突出する保持片３５が設けられている。一対の側板４１、４１には、それぞれの突出先端同士を連結し、面方向を支持壁３４の面に対して平行に向けた支持板４２が設けられている。
支持板４２の外面４２ｂ（分割面）には、第２框部３Ｂの係合凹部４３１（後述する）に係合される係合凸部４２１（係合部）が上下方向Ｘ３に延びて形成されている。係合凸部４２１の位置には、上下方向Ｘ３に所定の間隔をあけた位置で厚さ方向に貫通する第１ねじ孔４２２が複数設けられている。
【００４２】
第２框部３Ｂは、上面視で略ロ字状に形成され、内面側の前後方向Ｘ２の中央部に固定板４３を有し、前後方向Ｘ２で固定板４３の両側に凹溝３１の第２手掛け部３１ｂを有している。固定板４３には、第１框部３Ａの係合凸部４２１に係合される係合凹部４３１（係合部）が上下方向Ｘ３に延びて形成されている。そして、係合凹部４３１の位置には、第２框部３Ｂを第１框部３Ａに対して所定の位置に固定した状態で、第１框部３Ａの第１ねじ孔４２２、３４３に連通する位置に第２ねじ孔４３２が複数設けられている。第２框部３Ｂは、係合凹部４３１を係合凸部４２１に係合させることで、前後方向Ｘ２の移動を規制することが可能に構成されている。
さらに、第２框部３Ｂは、外面側の外壁４４に開口部４４１が形成されている。開口部４４１は、カバー材４５が係止されることにより閉塞される。
【００４３】
第２実施形態の縦框４Ａにおいても、凹溝３１、カバー材４５を含む第１框部３Ａおよび第２框部３Ｂの外周面のほぼ全域にわたる範囲にシート３３（３３Ａ、３３Ｂ、３３Ｃ）が貼着された状態で被覆されている。
【００４４】
（変形例）
図５及び図６は、上述した第１実施形態の変形例による縦框４Ｂ、４Ｃであって、第１框部３Ａの形状を代えた構成のものである。
図５に示すように、第１変形例による縦框４Ｂは、第１框部３Ａが上下方向Ｘ３から見た断面視で略ロ字状に形成されている。第１框部３Ａは、支持壁４６と支持板４７が左右方向Ｘ１に対向して配置され、支持壁４６の前後方向Ｘ２の両端部からパネル材２側に向けて僅かに突出した保持片４８が設けられている。支持壁４６および支持板４７には、それぞれ固定ねじ３２を挿通させる第１ねじ孔４６１、４７１が形成されている。支持板４７における外面４７ｂの前後方向Ｘ２の中央部には凹陥部４７２（係合部）が形成されている。その凹陥部４７２に第２框部３Ｂの固定板４３が係合されることで、第１框部３Ａと第２框部３Ｂとが前後方向Ｘ２への移動が規制されている。さらに支持板４７の外面４７ｂにおいて、凹陥部４７２の両側には第１手掛け部３１ａが配置されている。第１変形例による縦框４Ｂでは、支持板４７の位置が分割位置Ｐ３となる。
【００４５】
図６に示すように、第２変形例による縦框４Ｃは、第１框部３Ａが上下方向Ｘ３から見た断面視で略Ｉ字状に形成されている。第１框部３Ａは、支持壁４６の前後方向Ｘ２の両端部からパネル材２側に向けて僅かに突出した保持片４８が設けられている。支持壁４６には、固定ねじ３２を挿通させる第１ねじ孔４６１が形成されている。支持壁４６における外面４６ｂの前後方向Ｘ２の中央部には、凹陥部４６２（係合部）が形成されている。その凹陥部４６２に第２框部３Ｂの固定板４３が係合されることで、第１框部３Ａと第２框部３Ｂとが前後方向Ｘ２への移動が規制されている。さらに支持壁４６の外面４６ｂにおいて、凹陥部４６２の両側には第１手掛け部３１ａが配置されている。第２変形例による縦框４Ｃでは、支持壁４６の位置が分割位置Ｐ４となる。
【００４６】
このように、第１変形例および第２変形例では、第１框部３Ａに凹溝３１の第１手掛け部３１ａが含まれ、第２框部３Ｂに第２手掛け部３１ｂと底面３１ｃとが含まれる構成となる。
そして、第１変形例および第２変形例による縦框４Ｂ、４Ｃにおいても、凹溝３１、カバー材３７を含む第１框部３Ａおよび第２框部３Ｂの外周面のほぼ全域にわたる範囲にシート３３（３３Ａ、３３Ｂ、３３Ｃ）が貼着されている。
【００４７】
（第３実施形態）
図７〜図９に示す第３実施形態による引き戸１Ｂ（建具）は、パネル材２Ａが木製ではなく、ガラスパネルを採用した一例である。
図７に示すように、パネル材２Ａは、左右方向Ｘ１の両端部に固定される縦框５と、左右方向Ｘ１に延びる上桟２１、下桟２２、及び複数（図７では３本）の中桟２３と、これら桟２１、２２、２３の間に配置されるガラスパネル２４と、を備えている。
【００４８】
縦框５は、図８（ａ）、（ｂ）および図９（ａ）、（ｂ）に示すように、基本構成は、上述した第１実施形態と同様に第１框部５Ａと第２框部５Ｂとからなる。第１框部５Ａは凹溝３１の第１手掛け部３１ａのみを含み、第２框部５Ｂは凹溝３１の第２手掛け部３１ｂと底面３１ｃを含み、凹溝３１を左右方向Ｘ１に分離するように分割位置Ｐ５で左右方向Ｘ１に分割されている。
【００４９】
第３実施形態の第１框部５Ａでは、図８（ａ）、（ｂ）に示す中桟２３に固定される中桟固定部５１と、図９（ａ）、（ｂ）に示すガラスパネル２４に固定されるガラス保持部５２と、を有している。第１框部５Ａは、中桟固定部５１が固定ねじ５３によって中桟２３に固定されることにより、パネル材２Ａに装着される。つまり、第１框部５Ａのガラス保持部５２では、ガラスパネル２４の端部２４ａを保持するだけの構成であり、ガラスパネル２４に対して固定ねじ等を使用した固定が省略されている。
【００５０】
第１框部５Ａは、上下方向Ｘ３から見た断面視で略ロ字状に形成され、支持壁５４と、保持片５５と、を備えている。支持壁５４は、中桟２３およびガラスパネル２４の端部２３ａ、２４ａに当接可能、あるいは近接可能に設けられている。保持片５５は、中桟２３およびガラスパネル２４を前後方向Ｘ２から挟持する挟持部５５１を有している。挟持部５５１は、中桟２３およびガラスパネル２４の前後方向Ｘ２を向く側面２３ｂ、２４ｂに係止した状態で組み付けられている。
第１框部５Ａの中桟固定部５１には、固定ねじ５３が挿通可能な第１ねじ孔５１１が形成されている。一方、第２框部５Ｂにおける支持壁５４に対向する固定板５６にも中桟固定部５１の第１ねじ孔５１１と連通する位置に第２ねじ孔５６１が形成されている。
【００５１】
第３実施形態の縦框５においても、凹溝３１、カバー材５７を含む第１框部５Ａおよび第２框部５Ｂの外周面のほぼ全域にわたる範囲にシート５８（５８Ａ、５８Ｂ，５８Ｃ）が貼着されている。
【００５２】
以上、本発明による建具の実施形態について説明したが、本発明は上記の実施形態に限定されるものではなく、その趣旨を逸脱しない範囲で適宜変更可能である。
【００５３】
例えば、框の左右方向Ｘ１の分割位置は上述した実施形態に限定されることはない。要は凹溝３１が左右方向Ｘ１に分離するように分割されていればよく、凹溝３１における第１手掛け部３１ａが形成される内壁面と、第２手掛け部３１ｂが形成される内壁面とが別部材になるように分離されて凹溝３１としての溝形状が形成されないように分割されていればよいのである。そのため、例えば凹溝３１の底面３１ｃにおける左右方向Ｘ１の中央部の位置を分割面として分割された構成であってもよい。
【００５４】
また、本実施形態では、建具としてスライド方向を左右方向Ｘ１とした引き戸１を適用しているが、左右方向Ｘ１にスライドするものに限定されることはなく、例えば上下方向にスライドする建具に適用してもよい。この場合もスライド方向の両端部のうち少なくとも一方の端部にスライド方向に分割された第１框部と第２框部とからなる框がパネル材の上下端部に設けられる。
【００５５】
さらに、本実施形態では、パネル材２の左右両端部に縦框３を備えた構成としているが、いずれか一方の端部のみに縦枠３を固定する構成であってもかまわない。
【００５６】
さらにまた、本実施形態では、第１框部３Ａと第２框部３Ｂとが第２框部３Ｂ側から挿通される固定ねじ３２によって固定され、その固定ねじ３２の先端がパネル材２の外端面２ａに螺合されて、これら第１框部３Ａと第２框部３Ｂとがパネル材２に強固に固定された構成であるが、このような固定手段であることに制限されることはなく、例えばラッチ式による固定手段を採用してもよい。
【００５７】
また、第２框部３Ｂにカバー材３７が設けられる構成であるが、カバー材３７を省略することも可能である。
【００５８】
さらに、第１框部３Ａと第２框部３Ｂとの分割面には、凹凸係合による係合部が形成され、この係合により第１框部３Ａと第２框部３Ｂの前後方向Ｘ２の移動を規制し、ずれを防止できる構成としているが、凹凸係合による係合部を省略してもよい。また、凹凸の向きはとくに制限されることもない。つまり、本実施形態では、第１框部側に係合凸部を設け、第２框部側に係合凸部に係合する係合凹部を設けているが、第１框部側に係合凹部を設け、第２框部側に係合凹部に係合する係合凸部を設ける構成であってもよい。
【００５９】
その他、本発明の趣旨を逸脱しない範囲で、上記した実施形態における構成要素を周知の構成要素に置き換えることは適宜可能である。
【符号の説明】
【００６０】
１、１Ａ、１Ｂ  引き戸（建具）
２、２Ａ  パネル材
２ａ  外端面
３、４Ａ、４Ｂ、４Ｃ、５  縦框（框）
３Ａ、５Ａ  第１框部
３Ｂ、５Ｂ  第２框部
３１  凹溝
３１ａ  第１手掛け部
３１ｂ  第２手掛け部
３２、５３  固定ねじ
３３  シート
３４  支持壁
３５  保持片
３６  框本体
３７  カバー材
３４２、４２１  係合凸部（係合部）
３６４、４３１  係合凹部（係合部）
３６７、４４１  開口部
４６２、４７２  凹陥部（係合部）
Ｐ１〜Ｐ５  分割位置
Ｘ１  左右方向（スライド方向）
Ｘ２  前後方向
Ｘ３  上下方向
【図１】
2020056156.tif 000003
【図２】
2020056156.tif 000004
【図３】
2020056156.tif 000005
【図４】
2020056156.tif 000006
【図５】
2020056156.tif 000007
【図６】
2020056156.tif 000008
【図７】
2020056156.tif 000009
【図８】
2020056156.tif 000010
【図９】
2020056156.tif 000011